(57)【要約】【課題】  樹脂フィルムに形成する垂直プローブの形状をカンチレバー構造とした接触子組立体を提供する。【解決手段】  銅箔が接着された樹脂フィルムを使用し、前記銅箔をエッチング加工して樹脂フィルム上に垂直プローブ１２を含む導電部を形成し、この垂直プローブ付の樹脂フィルムを複数枚積層し半導体チップの電極パッドに垂直プローブ１２の先端部を一括接触させて半導体チップの回路検査を行うための接触子組立体において、垂直プローブ１２を含む導電部が平行バネ１５を有する平行四辺形のリンク１６を形成していることを特徴とする。【選択図】図５（ａ）
2007279009.tif 000002
【特許請求の範囲】
【請求項１】
銅箔が接着された樹脂フィルムを使用し、前記銅箔をエッチング加工して樹脂フィルム上に垂直プローブを含む導電部を形成し、この垂直プローブ付の樹脂フィルムを複数枚積層し半導体チップの電極パッドに前記垂直プローブの先端部を一括接触させて半導体チップの回路検査を行うための接触子組立体において、前記垂直プローブを含む導電部が平行バネ構造を有する平行四辺形のリンク機構を形成していることを特徴とする接触子組立体。
【請求項２】
前記平行バネ構造を有する平行四辺形のリンク機構は一端側に前記垂直プローブを有し、他端側を支持部として水平方向に延びるカンチレバー構造であることを特徴とする請求項１記載の接触子組立体。
【請求項３】
前記平行バネが曲げ変形されたリンク機構であることを特徴とする請求項１記載の接触子組立体。
【請求項４】
前記平行バネの間の樹脂フィルムに開口部が設けられていることを特徴とする請求項１記載の接触子組立体。
【請求項５】
前記平行バネの間の樹脂フィルムに開口部が設けられていないことを特徴とする請求項１記載の接触子組立体。
【請求項６】
前記垂直プローブとの間をリンク機構および導電部を介して接続するとともに回路基板の接続パッドと接触する端子部を備えたことを特徴とする接触子組立体。
【請求項７】
前記端子部はプローブ付樹脂フィルムを積層した時にそれぞれの配置位置が等ピッチでずれる様に各樹脂フィルムに形成されていることを特徴とする請求項６記載の接触子組立体。
【請求項８】
前記端子部近傍の導電部には湾曲部が設けられていることを特徴とする請求項６記載の接触子組立体。
【請求項９】
前記リンク機構および端子部はその近傍に切りこみ部を設け、カンチレバー構造としたことを特徴とする請求項６記載の接触子組立体。
【請求項１０】
前記銅箔をエッチングする際、導電部以外の部分も除去せずに残してダミー部を形成し、樹脂フィルムの補強部材としたことを特徴とする請求項１記載の接触子組立体。
【請求項１１】
前記導電部とダミー部との間の樹脂フィルム面に絶縁性接着剤を充填したことを特徴とする請求項１０記載の接触子組立体。
【請求項１２】
平行バネは水平方向に対し角度θだけ傾けたリンク構造となっていて、この角度θを変えることによりプローブとウエハ上にあるパッド間のコスリ量を変えることを可能とすることを特徴とする請求項１０記載の接触子組立。
【請求項１３】
垂直プローブの近傍に位置決めダミーがあり、該位置決めダミーとフィルムを貫通する穴と、連結ダミーの一端が垂直プローブと近接していることによって垂直プローブと連結ダミーと位置決めダミーが同一平面を成すことを容易にすることを特徴とする請求項１０に記載の接触子組立。
【請求項１４】
連結ダミーの面が垂直プローブの面と正確に同一面内に動作し、他の接触子組立に、穴及び支持棒を介して力の伝達が発生し難いことを特徴とする請求項１３に記載の接触子組立。
【請求項１５】
樹脂材料、樹脂材料を有することを特徴とする請求項１３に記載の接触子組立。
【請求項１６】
長さの異なる導電部または導電配線を有する複数の樹脂接触子組立と該樹脂接触子組立の穴に挿入された棒とを有し、粗く分布する回路基板の電極と電気的接続を可能とする１列または２列に並んだ垂直プローブを有する接触子組立。
【請求項１７】
垂直プローブを直交する様に配置したことを特徴とする請求項１６に記載の接触子組立。
【請求項１８】
電気的に絶縁状態にある１つ又は１つ以上の樹脂材料と平行バネの固定部を接続して固定することを特徴とする請求項１６に記載の接触子組立。
【発明の詳細な説明】
【技術分野】
【０００１】  本発明は、ＬＳＩなどの電子デバイスの製造工程において、半導体ウエハ上に形成された複数の半導体チップの回路検査に使用するプローバ装置の接触子組立体に関し、特に、半導体チップ上に配列される回路端子（パッド）に対しウエハ状態のまま垂直型プローブを接触させ、一括して半導体チップの電気的導通を測定するプロービングテストに使用するプローバ装置の接触子組立体に関する。また液晶の点灯検査用接触子としても利用可能である。
【背景技術】
【０００２】  半導体技術の進歩に伴って電子デバイスの集積度が向上し、半導体ウエハ上に形成される各半導体チップにおいても回路配線の占めるエリアが増加し、そのため、各半導体チップ上の回路端子（パッド）の数も増加し、それにつれてパッド面積の縮小化、パッドピッチの狭小化などによるパッド配列の微細化が進んでいる。同時に、半導体チップをパッケージに収納せずに、ベアチップのまま回路基板等に搭載するチップサイズパッケージ（ＣＳＰ）方式が主流になりつつあり、そのためには、半導体チップに分割する前のウエハ状態での特性チェックや良否判定がどうしても必要となる。【０００３】  特に、パッド配列が微細化（狭ピッチ化）したことで問題となるのは、電子デバイスの電気的特性試験や回路検査の際に、半導体チップのパッドに接触させて電気的導通を得るためのプローブの構造を、パッド配列の微細化に合せたものとしなければならないということであり、このパッド配列の微細化の進歩に対応するために種々な測定手段が用いられている。【０００４】  例えば、被検査半導体チップのパッドと検査装置との間に、外力に対して弾性的に変形する弾性変形部を有する複数の針状プローブをエリア配列した接触子組立体を介在させる手段がある。この接触子組立体と半導体チップの試験回路とを電気的に接続する手段として、プローブカードと呼ばれるプリント配線基板が用いられている。【０００５】  一般にプローブカードにおいて、片持梁のカンチレバー構造を有する針状のプローブを採用した場合は、半導体チップのパッドと接触するプローブの先端部分は狭ピッチである。しかし、プローブカードと接続している根元の部分は、プローブが先端部分から放射状に広がって配置されることからピッチを粗くすることができ、プローブをプローブカードの回路端子に半田付け等の接続手段で固着することが可能であった。しかし、このカンチレバー構造は、パッドと接触する際に先端が水平方向にずれるためパッドに傷をつけたり、また、パッドから外れて測定歩留まりの低下を招くなどの問題がある。さらに、チップ１個ずつの測定しか出来ない、プローブ１本ずつの取りつけ精度にばらつきがあり一定接触圧のコントロールが難しいなどの問題があった。【０００６】  このカンチレバー構造に代わる垂直型プローブ、すなわち、プローブがプローブカードの回路端子に垂直に固定された垂直型プローブにおいては、半導体チップ上のパッドピッチとプローブカード上の回路端子ピッチとが同等のピッチ間隔で構成されることが必要となる。しかし、プリント配線基板であるプローブカード上では回路パターンを微細化するには製造技術上の限界があり、従って回路端子の占める面積や配線幅もパッドピッチに合わせた要求を満たすことは困難である。さらに、半田付け可能なピッチ間隔にも限界があるため、微細化が進むにつれて垂直型プローブを半導体チップのパッドピッチに合せてプローブカードに垂直に固定することは不可能であった。【０００７】  このように、プローブカード上では、平面的エリアが回路端子面積の他に回路配線幅によって占有される割合が大きく、回路端子の狭ピッチ化を妨げている。そこで、プローブカードに多層プリント配線基板を使用し、回路端子を格子状あるいは２列千鳥型に配列し、層間の配線をスルーホールを介して電気的に接続することによって垂直型プローブの本数を維持する手段も採られている。しかし、このスルーホールの占める空間が大きくなるため、スルーホールの存在が回路端子配列の狭ピッチ化を妨げる原因にもなっている。このように、垂直型プローブをプローブカードに固定しようとすると、回路端子の狭ピッチ化の困難性に加えて半田付け作業に高度な技術と多大な人的工数を必要とし、高価なものになっていた。これらの問題を解決するために、本発明者等は、垂直型接触子組立体を提案し、かつその垂直型接触子組立体を用いたプローバ装置についても既に提案している（特許文献１および特許文献２を参照）。【０００８】  本発明者等により提案された従来例としての垂直型接触子組立体は、特許文献１の図２２および特許文献２の図４に示すようにリボン状（短冊状）の樹脂フィルム面に銅薄板を貼り付け、この銅薄板をエッチングすることによって樹脂フィルム面に湾曲部を有する垂直型の銅プローブを形成し、このプローブ付の樹脂フィルムを複数枚積層させて垂直型接触子組立体を構成するものである。【０００９】  この垂直型接触子組立体は、樹脂フィルムを積層した構造であるためきわめて狭いエリアに複数のプローブを配置することが可能であり、また、樹脂フィルムには開口部が設けられていて、プローブは垂直部の途中が開口部の縁に沿って湾曲形成されており、プローブ先端部がパッドに接触した時の圧力による歪を樹脂フィルムの開口部とプローブの湾曲部とで吸収する構造となっている。【００１０】  このように、測定時にプローブおよび樹脂フィルムに加わる圧力をいかに逃がすかについて、発明者等は樹脂フィルムの開口部の大きさや形状、プローブの湾曲形状を工夫することによって種々の形状を提案している。しかし、せっかく狭ピッチ化に適応した接触子組立体が提供できても樹脂フィルムやプローブの加工が繁雑になってはコスト高になり兼ねない。そこで本発明は、樹脂フィルムに形成するプローブの形状をカンチレバー構造に近い単純な構造とし、樹脂フィルムの開口部形成などの製作工数も含めて加工を容易にした垂直型接触子組立体を提供するものである。
【特許文献１】  特開２００４−２７４０１０号公報
【特許文献２】  特開２００５−３００５４５号公報
【発明の開示】
【発明が解決しようとする課題】
【００１１】  上記したように、本発明者等が既に提案したフィルム積層型の垂直型接触子組立体を用いたプローバ装置は、狭ピッチ化されたパッドピッチ、例えば４５μｍピッチ以下（例えば２０μｍピッチ）の半導体チップに対しても測定が可能な装置である。しかも、プローブの組立に際し半田付けあるいは樹脂による固定手段を用いることなく自動組立が可能であるため、低コストの多量生産が可能であり、また、チップパッドに対し垂直に一括接触できることから全てのプローブに対し均等に接触圧をコントロールできるなどの大きな利点が得られている。【００１２】  本発明は、これらの利点を生かすとともに樹脂フィルムに形成するプローブの形状をカンチレバー構造に近い単純な構造とし、樹脂フィルムの開口部形成などの製作工数も含めて加工を容易にした垂直型接触子組立体を提供するものである。
【課題を解決するための手段】
【００１３】  本発明は、銅箔が接着された樹脂フィルムを使用し、銅箔をエッチング加工して樹脂フィルム上に垂直プローブを含む導電部を形成し、この垂直プローブ付の樹脂フィルムを複数枚積層し半導体チップの電極パッドに垂直プローブの先端部を一括接触させて半導体チップの回路検査を行うためのプローブ組立体において、前記垂直プローブを含む導電部が平行バネ構造を有する平行四辺形のリンク機構を形成していることを特徴としている。【００１４】  また、本発明は、前記平行バネ構造を有する平行四辺形のリンク機構が一端側に前記垂直プローブを有し、他端側を支持部として水平方向に延びるカンチレバー構造であり、また、前記平行バネが曲げ変形されたリンク機構であり、また、前記平行バネの間の樹脂フィルムに開口部が設けられているか、あるいは開口部が設けられていないことを特徴としている。【００１５】  また、本発明は、前記垂直プローブとの間をリンク機構および導電部を介して接続するとともに回路基板の接続パッドと接触する端子部を備えたことを特徴とし、前記端子部はプローブ付樹脂フィルムを積層した時にそれぞれの配置位置が等ピッチでずれる様に各樹脂フィルムに形成され、また、前記端子部近傍の導電部には湾曲部が設けられている。また、前記リンク機構および端子部はその近傍に切りこみ部を設けてカンチレバー構造とし、また、前記銅箔をエッチングする際、導電部以外の部分も除去せずに残してダミー部を形成することによって樹脂フィルムの補強部材とし、また、前記導電部とダミー部との間の樹脂フィルム面に絶縁性接着剤を充填したことを特徴としている。
【発明の効果】
【００１６】  本発明の接触子組立体は、プローブ付樹脂フィルムにおける垂直プローブの構造を平行バネ構造としたことによって、従来の問題点であったカンチレバー針の先端の動きに比べ水平方向の移動距離を少なくすることができる。このことは、半導体チップのパッド面積が微小化されても、カンチレバー構造のプローブが適用できることを意味する。また、従来の垂直プローブは狭ピッチになるにつれて細くする必要があり、湾曲部の弾性強度に限界があったが、本発明では湾曲部を設けなくても平行バネを用いたカンチレバー構造とすることによって弾性強度に充分対応できるものである。さらに、湾曲部のような複雑な構造をとる必要がないため、銅箔のエッチング加工も容易となり、製作コストを削減することができる。【００１７】  本発明の接触子組立体はカンチレバーを構成する平行バネ１５の形状をあらかじめ変形させておくリンク構造を示すもので、この場合も垂直プローブ１２の先端部の移動量ｄ２はｄ２＜ｄ０となり、小さくすることができる。またあらかじめ変形させる場合、ｄ２は傾き角度θに比例する関係を有するため、平行バネ部変形量を変えずにｄ２を設計上選択可能である。即ちユーザ仕様に合わせこすり量を決定できる構造である。【００１８】    本発明において、垂直プローブ１２のｋ面と位置決めダミー３３のｓ面は同一面であることが望ましい。また垂直プローブ１２のｚ方向にプロービング動作があっても位置決めダミーに大きい力が作用しないことが望まれる。それは其々のプローブが独立した動作をする必要性があるからである。連結ダミーをテープ上に形成することによって、ｙ方向の曲げを小さくしている。
【発明を実施するための最良の形態】
【００１９】  以下に図面を参照して本発明の実施の形態について説明する。図１（ａ）、（ｂ）、（ｃ）はそれぞれ垂直プローブの先端部の動きを説明する原理図である。なお、垂直プローブの先端は半導体チップ等のパッドに接触するまでは垂直状態を保っている。【００２０】  図１（ａ）において、長さｌのカンチレバー１１の先端部に取り付けられた垂直プローブ１２は先端部が半導体チップ等のパッド部１３の上面に対し垂直に対向しており、他端は支持部１４に取り付けられて水平状態にある。次いで、検査のためにパッド部１３を上昇させるか支持部１４を下降させると垂直プローブ１２の先端部とパッド部１３の上面が接触し、長さｌのカンチレバー１１は計算上約（１／３）ｌの位置を中心として回転し、垂直プローブ１２の先端部はパッド部１３の上面に接触しながら距離ｄ０だけ大きく移動する。その結果、垂直プローブ１２の先端部がパッド部１３から外れたり、パッド部１３の上面が削られたり傷を残すことになる。【００２１】  この弊害を無くすために、図１（ｂ）に示すようにカンチレバー１１の構造を平行バネ１５によるリンク構造とし、リンク１６の一端に垂直プローブ１２を設けている。このリンク構造によれば、垂直プローブ１２に図（ａ）と同じ垂直方向の接触荷重が加わったとしても、リンク構造であるため垂直プローブ１２の先端部の移動量ｄ１はｄ１＜ｄ０となり、ごくわずかに押さえることができる。【００２２】  図（ｃ）はカンチレバーを構成する平行バネ１５の形状をあらかじめ変形させておくリンク構造を示すもので、この場合も垂直プローブ１２の先端部の移動量ｄ２はｄ２＜ｄ０となり、ごくわずかに押さえることができる。【００２３】  次に、図１で説明した原理を応用した本発明に係る垂直プローブ付樹脂フィルム（以下、単にプローブ付フィルムと称する）の第１の実施形態について、図２の平面図を用いて説明する。図２に示すように、樹脂フィルム面に形成されるカンチレバー構造のプローブは厚さ２０μｍのベリリウム銅薄板を使用し、この銅薄板を厚さ５μｍのポリイミド樹脂フィルムに貼り付けたものをエッチング加工して形成する。【００２４】  このプローブ付フィルムは垂直プローブ１２と、この垂直プローブ１２を一端側で保持する平行バネ１５と、平行バネ１５を他端側で支持する支持部１４とで形成され、垂直プローブ１２の先端部のみが樹脂フィルム（図示せず）の外にわずか突出している。平行バネ１５の寸法は、例えば図２に示すように１本のバネ幅ａが２０μｍであり、リンク１６の全体幅ｂが０．４〜１ｍｍとする。この例のように、バネ幅が細い場合には平行バネ１５の間の樹脂フィルムには開口部を設けないで樹脂フィルム自身に耐変形強度を持たせるようにし、銅薄板のみを加工して平行バネ１５を補強する構造としてもよい。【００２５】  図３は垂直プローブの第２の実施形態を示す平面図である。この図においても、特に樹脂フィルムの形状は示していないが、樹脂フィルムは垂直プローブ１２の先端部を除きプローブ構成全体が収まるだけのリボン形状を備えている。平行バネ１５は一端側に垂直プローブ１２を有し、他端側に支持部１４を有する。平行バネ１５は水平方向に対し角度θだけ傾けたリンク構造��なっている。これは図１（ｃ）の変形構造の例である。【００２６】  また、支持部１４には、回路基板１８の接続パッド１９に接触し垂直プローブ１２との間の電気接続部となる端子部１７が湾曲部２２を介して形成されている。また、このプローブ付樹脂フィルムを積層させたときに、積層樹脂フィルムを貫通させて樹脂フィルムの位置決めおよび固定部となる支持棒を通す穴２０が設けられている。この垂直プローブを有する樹脂フィルムを複数枚積層させたものが接触子組立体である。さらに本実施形態の特長は、平行バネ１５の間の樹脂フィルム開口部に相当する部分に、開口を設ける代わりに逆に銅箔をダミー２１として残し、樹脂フィルムおよび平行バネの耐変形強度を高めるための補強板の役目を果たしていることである。垂直プローブ１２、平行バネ１５、端子部１７、湾曲部２２を総称して導電プローブ３９呼ぶことにする。【００２７】  同様に、支持部１４にも導電部２４が設けられており、この導電部２４間にもダミー２３を設けることによって補強板の役目を果たしている。また、支持部１４にも導電部２４を設けたことによって、回路基板１８の接続パッド１９との電気的接続の距離を決定すると同時に一定値以上の長さを有することによって、平行バネ１５の固定を可能にしている。また配線２４の中に空洞部分がありるのは静電容量値を小さくするためのものである。さらに空洞中のダミー部材２３はプローブ構造を強固にするための手段である。【００２８】  図４は、図３で説明したプローブ付フィルムを積層した状態を示す図である。図から分かるように、プローブ付フィルムを積層した時に電気接続部となる端子部１７の位相が等ピッチｐでずれるように、それぞれの樹脂フィルム上であらかじめ端子部１７の配置をずらして形成されている。これは端子部１７と接続する回路基板１８の電気接続部の接続パッド１９を設ける際に、接続パッド１９が配置し易いようにあらかじめ斜め方向に配置された接続パッド１９に合わせたものである。【００２９】  図５（ａ）は本発明の第３の実施形態を示す平面図である。本実施形態の特長は、樹脂フィルム上の平行バネを形成する部分に開口部および切込みを設けたことと、回路基板との電気的接続のための端子部を設ける部分にも切りこみを設けた点である。図に示すように、樹脂フィルム２５に貼り付けられた銅箔は、導電部となる部分と補強部を兼ねた電気的にダミーとなる部分とに分離して形成されている。導電部となる部分は一端側に垂直プローブ１２が形成され、他端側には回路基板１８の電気接続部である接続パッド１９と接触する端子部１７が形成されている。ダミー２６、２７を設ける理由は、銅箔の厚さが２０μｍであるのに対し樹脂フィルム２５の厚さが５μｍと薄いため、プローブ付フィルムとしての変形強度を保つために設けている。またダミー２７は上部の固定板４６と回路基板１８に挟まれ強固に固定されている。導電配線３１とダミー２７間には接着剤３２が、導電配線３１と接着剤２６が充填されている。従って平行バネ１５の固定部である導電配線１１は強固に固定されている。接着剤２６は接着剤である必要はなくフィルムと同種材料でも良い。フィルム剤としてポリイミド等が適切である。【００３��】  また、垂直プローブ１２は平行バネ１５を備えたリンク機構となるように形成され、平行バネ１５の間の樹脂フィルム部分には開口部２８が設けられ、また、リンク機構と平行に切り込み２９が設けられて垂直プローブ１２を含むカンチレバー構造となっている。また、端子部１７に沿って切り込み３０が設けられており、端子部１７も切り込み長さに応じたカンチレバー構造となっている。このように、プローブ部を平行バネ機構によるカンチレバー構造としたことによって、導電配線３１の幅を広く採ることができるので、従来構造である一本の垂直プローブの途中に湾曲部を設ける構造に比べて樹脂フィルムの変形強度をより高めることができる。導電配線３１は導電部２４の中に空間やダミー２３がない形状である。また、端子部１７もカンチレバー構造としたことによって、回路基板と垂直プローブとを電気的に接続させる際に弾性接触による接続だけで済むので、回路基板と接触子組立体との取り付けを容易に行うことができる。【００３１】  また、垂直プローブ１２と端子部１７をつなぐ導電配線３１とダミー２６、２７との隙間には、電気的絶縁性とフィルム強度を保つために絶縁性接着剤３２を流し込み、補強用のスペーサーとしている。さらに、垂直プローブ１２の近傍の樹脂フィルム２５には、樹脂フィルム２５を積層する際の位置決めおよび固定を行うための棒を通す穴２０が開けられている。この棒３７を通す機能については、上述の特許文献２（特開２００５−３００５４５号公報）で説明済みであるのでここでは省略する。【００３２】  本発明において、垂直プローブ１２のｍ面と位置決めダミー３３のｈ面は同一面であることが望ましい。また垂直プローブ１２のｚ方向にプロービング動作があっても位置決めダミーに大きい力が作用しないことが望まれる。それは其々のプローブが独立した動作をする必要性があるからである。【００３３】  図５（ｂ）は図５（ａ）の垂直プローブ１２近傍の部分拡大図である。図５（ｂ）において、垂直プローブ１２をプロービング動作させるとき垂直プローブ１２の先端にｚ方向のばらつきがあると、棒３７を介して他の垂直プローブ１２に力が伝わる可能性がある。
これを防止する。図５（ｂ）において、４１は外位置決めダミー、４２は内位置決めダミー、４３は樹脂フィルム変形部である。外位置決めダミー４１及び内位置決めダミー４２は垂直プローブ１２の非常に近い位置にある。内位置決めダミー４２と樹脂フィルム２５には同軸上に穴２０が空けられている。棒３７が穴２０を圧入勘合で挿入され樹脂フィルム２５及び外位置決めダミー４１は積層ピッチに応じて位置決めが行われている。この樹脂フィルム２５、内位置決めダミー４２及び外位置決めダミー４１が垂直プローブ１２の至近距離にあることによって垂直プローブ１２の位置ずれの介在する距離が減少するため先端が精度よく組立できる。【００３４】  パッド部が降下し、プロービング動作で複数の垂直プローブ１２が同時動作でｚ方向の紙面下方に押し下げられたとき垂直プローブ１２の先端のｚ方向でのばらつきがあると、棒３７に力が作用する。この力を小さくふるために外位置決めダミー４１と内位置決めダミー４２の間に樹脂フィルム変形部４３がある。本図５（ｂ）には樹脂フィルム変形部４３には切欠きは描かれてないが、バネ定数を適切に決定するために適当な切欠きがあってもよい。【００３５】  図５（ｃ）は同一平面を成すことを容易にする案の部分図である。図５（ｃ）において、３４は連結ダミーである。該連結ダミー３４は垂直プローブ１２と位置決めダミー３３間に存在する。樹脂材料３５は位置決めダミー３３と連結ダミー３４の間にある。ダミー３６は連結ダミー３４と垂直プローブ１２間にあって強度を強める役割を果たしている。  垂直プローブ１２の近傍に位置決めダミー３３があり、該位置決めダミー３３とフィルム２５を貫通する穴２０と、連結ダミー３４の一端が垂直プローブ１２と近接していることによって垂直プローブ１２と連結ダミー３４と位置決めダミー３３が同一平面を成すことを容易にすることを特徴とする。【００３６】  連結ダミー３４と位置決めダミー３３がｚ方向から見てｘ方向に長い共有部分があり、垂直プローブ１２と連結ダミー３４の面が正確に同一面内に動作し、他の接触子組立に、穴２０及び支持棒を介して力の伝達が発生し難い。【００３７】  本発明の実施の形態４について図面６乃至図面９を用いて説明する。図６は樹脂接触子組立を示す。図６において、３９は導電プローブであり、４０は樹脂フィルムである。図を簡素化するためダミー等は省略してあるが実際は実在し其々の機能が作用しているものとする。樹脂フィルム４０は樹脂フィルム２５と同一の機能を有する。導電プローブ３９が左右両方に１個づつ２個配置されて樹脂フィルム組立３８を成している。【００３８】  図７は導電配線樹脂３１の長さの異なる接触子組立３８を複数組立順に配置したものである。図７において導電配線樹脂３１の長さの異なる接触子組立３８が短い順に３８−１、３８−２、３８−３・・・３８−１・・と繰り返し配置されたの樹脂フィルム組立３８があることを示している。【００３９】  図８は本発明に係る複数の樹脂接触子組立の組立斜視図である。図８は図７に示す樹脂フィルム組立３８が組立られたもので、穴２０に棒３７が挿入されている。穴２０と棒３７は圧入によって樹脂フィルム組立３８の間隔を決定する位置決���が成されている。【００４０】  図９（ａ）は本発明に係る複数の樹脂接触子組立の端子部と配線板上の接続パッド対向図である。図９（ａ）において、樹脂接触子組立の端子部１７と接続パッド１９が対向している。【００４１】  図９（ｂ）は端子部１７と接続パッド１９の対応関係を示す。導電配線３１の長さの異なる樹脂フィルム組立３８を積層したとき積層ピッチと配線長の差は図９（ｂ）に示す関係になる。このことによって回路基板１８の粗いピッチの接続パッド１９に端子部１７を接続可能であることを示す。【００４２】  図１０は本発明に係る４辺に配列されたパッドに対向する樹脂接触子組立である。図１０は、図９（ａ）及び図９（ｂ）に示す複数の樹脂フィルム組立３８を積層して、４変形の対向する２辺に配列されたパッドに接続し、残りの２辺には概略同じような複数の樹脂フィルム組立３８を直交するように配値したものを示す。４４はウエハ、４５は矩形上にパッドを有するチップである。図１０に示す様に矩形状に並んだ垂直プローブ１２は矩形上にパッドを有するチップ４５に対向している。
【産業上の利用可能性】
【００４３】  本提案を含めたプローブ付樹脂フィルムは、半導体デバイスの狭ピッチ化に対応した回路検査装置（プローバ）に適用できるものであり、例えば、直径３００ｍｍで半導体チップが数十から数百個形成されたウエハの一括検査にも充分追従できる機能を備えている。
【図面の簡単な説明】
【００４４】
【図１】  本発明に係る垂直プローブの動きを示す説明図である。
【図２】  本発明に係る垂直プローブの第１の実施形態を示す平面図である。
【図３】  本発明に係る垂直プローブの第２の実施形態を示す平面図である。
【図４】  本発明の接触子組立体を説明する斜視図である。
【図５（ａ）】  本発明の第３の実施形態を示す平面図。
【図５（ｂ）】  図５（ａ）の垂直プローブ１２近傍の部分拡大図。
【図５（ｃ）】  同一平面を成すことを容易にする案の部分図。
【図６】  本発明に係る１つの樹脂接触子組立を示す平面図。
【図７】  本発明に係る複数の樹脂接触子組立の配置順を示す平面図。
【図８】  本発明に係る複数の樹脂接触子組立の組立斜視図。
【図９（ａ）】  本発明に係る複数の樹脂接触子組立の端子部と配線板上の接続パッド対向図。
【図９（ｂ）】  端子部１７と接続パッド１９の対応関係を示す図。
【図１０】  本発明に係る４辺に配列されたパッドに対向する樹脂接触子組立。
【符号の説明】
【００４５】  １１    カンチレバー
１２    垂直プローブ
１３    パッド部
１４    支持部
１５    平行バネ
１６    リンク
１７    端子部
１８    回路基板
１９    接続パッド
２０    穴
２１    ダミー
２２    湾曲部
２３    ダミー
２４    導電部
２５    樹脂フィルム
２６    ダミー
２７    ダミー
２８    開口部
２９    切り込み
３０    切り込み
３１    導電配線
３２    接着剤
３３    位置決めダミー
３４    連結ダミー
３５    樹脂材料
３６    樹脂材料
３７    棒
３８    樹脂接触子組立
３９    導電プローブ
４０    樹脂フィルム
４１    外位置決めダミー
４２    内位置決めダミー
４３    樹脂フィルム変形部
４４    ウエハ
４５    チップ
４６    固定板
【図１】
2007279009.tif 000003
【図２】
2007279009.tif 000004
【図３】
2007279009.tif 000005
【図４】
2007279009.tif 000006
【図５（ａ）】
2007279009.tif 000007
【図５（ｂ）】
2007279009.tif 000008
【図５（ｃ）】
2007279009.tif 000009
【図６】
2007279009.tif 000010
【図７】
2007279009.tif 000011
【図８】
2007279009.tif 000012
【図９（ａ）】
2007279009.tif 000013
【図９（ｂ）】
2007279009.tif 000014
【図１０】
2007279009.tif 000015